【手続補正書】
【提出日】平成21年7月31日(2009.7.31)
【手続補正１】
【補正対象書類名】明細書
【補正対象項目名】発明の名称
【補正方法】変更
【補正の内容】
【発明の名称】コンテンツ出力装置およびコンテンツ出力方法
【手続補正２】
【補正対象書類名】特許請求の範囲
【補正対象項目名】全文
【補正方法】変更
【補正の内容】
【特許請求の範囲】
【請求項１】
ネットワークを介してコンテンツを受信装置に出力するコンテンツ出力装置において、
前記コンテンツを蓄積する蓄積手段と、
ネットワーク通信手段と、
前記蓄積手段に蓄積されている前記コンテンツに係るコンテンツ情報を生成して前記ネットワーク通信手段を介して出力するコンテンツ情報提供手段と、
出力された前記コンテンツ情報に基づいて前記受信装置が前記コンテンツを選択した場合に、前記蓄積手段に蓄積されている前記コンテンツを前記ネットワーク通信手段を介して前記受信装置に出力するコンテンツ出力手段と、
を備え、
前記コンテンツ情報は、コンテンツのアクセス先情報を記述するプロパティ情報を含み、
前記コンテンツのアクセス先情報を記述するプロパティ情報は、複数種類の前記コンテンツの提供可能な形態に係る情報を前記プロパティ情報の所定のフィールドに併記した情報であり、
前記コンテンツ出力手段は、複数種類の前記コンテンツを提供可能な形態に係る情報のいずれかにより選択された場合に、前記蓄積手段に蓄積されている前記コンテンツを前記ネットワーク通信手段を介して前記受信装置に出力することを特徴とするコンテンツ出力装置。
【請求項２】
ネットワークを介してコンテンツを受信装置に出力するコンテンツ出力方法において、
前記コンテンツに係るコンテンツ情報を生成して前記ネットワークを介して出力し、
出力された前記コンテンツ情報に基づいて前記コンテンツが選択された場合に、前記コンテンツを前記ネットワークを介して前記受信装置に出力し、
前記コンテンツ情報は、コンテンツのアクセス先情報を記述するプロパティ情報を含み、
前記コンテンツのアクセス先情報を記述する前記プロパティ情報は、複数種類の前記コンテンツの提供可能な形態に係る情報を前記プロパティ情報の所定のフィールドに併記した情報であり、
複数種類の前記コンテンツを提供可能な形態に係る情報のいずれかにより選択された場合に、前記コンテンツを前記ネットワークを介して前記受信装置に出力することを特徴とするコンテンツ出力方法。
【手続補正３】
【補正対象書類名】明細書
【補正対象項目名】０００７
【補正方法】変更
【補正の内容】
【０００７】
前記目的は、その一例として特許請求の範囲に記載の構成により達成できる。
【手続補正４】
【補正対象書類名】明細書
【補正対象項目名】０００８
【補正方法】削除
【補正の内容】
【手続補正５】
【補正対象書類名】明細書
【補正対象項目名】００３０
【補正方法】変更
【補正の内容】
【００３０】
本発明はコンテンツを蓄積する機能を備えたコンテンツ送信装置とコンテンツ受信装置で構成されるネットワークシステムにおいて、UPnP AVやDLNAガイドラインなど既存のコンテンツ共有に従ったコンテンツ受信装置が存在するネットワークに有効である。
なお、上述の実施例は少なくとも下記を開示している。
（１）
コンテンツを保存するコンテンツ蓄積手段と、
該コンテンツを部分的に抽出し、所定の再生時間になるように編集したダイジェストコンテンツを１つあるいは複数の異なる再生時間で生成し、該コンテンツ蓄積手段に保存するダイジェストコンテンツ生成手段と、
該コンテンツ蓄積手段に保存されているコンテンツそれぞれについて、少なくともネットワーク経由で所望のコンテンツを取得するためのアクセス先情報と、源コンテンツとダイジェストコンテンツの対応がわかるコンテンツ関連情報とを含むコンテンツ情報を提供するコンテンツ情報提供手段と、
アクセス先情報で指定されたコンテンツを該蓄積手段から読出して配信する配信処理手段と、
他のネットワーク装置の要求に従って、少なくとも該コンテンツ情報、あるいはコンテンツを送信するネットワーク通信手段と、を備えることを特徴とするコンテンツ送信装置。
（２）
コンテンツを保存するコンテンツ蓄積手段と、
該コンテンツを部分的に抽出し、所定の再生時間になるように編集したダイジェストコンテンツを１つあるいは複数の異なる再生時間で生成し、該コンテンツ蓄積手段に保存するダイジェストコンテンツ生成手段と、
該コンテンツ蓄積手段に保存されているコンテンツそれぞれについて、少なくともネットワーク経由で所望のコンテンツを取得するためのアクセス先情報と、コンテンツのダイジェストコンテンツが提供可能かどうかを示すダイジェストフラグと、ダイジェストコンテンツを指定するダイジェスト識別情報とを含むコンテンツ情報を提供するコンテンツ情報提供手段と、
源コンテンツとダイジェストコンテンツとの対応付けを保存し、ダイジェストコンテンツが生成あるいは削除される度に源コンテンツのコンテンツ情報に含まれる該ダイジェスト識別情報を更新するコンテンツ管理手段と、
該アクセス先情報と該ダイジェスト識別情報で指定されたコンテンツを該蓄積手段から読出して配信する配信処理手段と、
他のネットワーク装置の要求に従って、少なくとも該コンテンツ情報、またはコンテンツを送信するネットワーク通信手段と、を備えることを特徴とするコンテンツ送信装置。
（３）
コンテンツを保存するコンテンツ蓄積手段と、
少なくとも、該コンテンツを部分的に抽出し、１つあるいは複数の所定の再生時間で再生するための抽出位置情報を含むダイジェスト情報を生成するダイジェスト情報生成手段と、
該コンテンツ蓄積手段に保存されているコンテンツそれぞれについて、少なくともネットワーク経由で所望のコンテンツを取得するためのアクセス先情報と、源コンテンツとダイジェストコンテンツの対応がわかるコンテンツ関連情報とを含むコンテンツ情報を提供するコンテンツ情報提供手段と、
源コンテンツとダイジェスト情報との対応付けを保存し、更には、該ダイジェスト情報に対応するダイジェストコンテンツのコンテンツ情報を生成し、該コンテンツ情報提供手段に登録するコンテンツ管理手段と、
アクセス先情報で指定されたコンテンツを、ダイジェスト情報に従って所定の部分を抽出しながら該蓄積手段から読出して配信する配信処理手段と、
他のネットワーク装置の要求に従って、少なくとも該コンテンツ情報、あるいはコンテンツを送信するネットワーク通信手段と、を備えることを特徴とするコンテンツ送信装置。
（４）
コンテンツを保存するコンテンツ蓄積手段と、
少なくとも、該コンテンツを部分的に抽出し、１つあるいは複数の所定の再生時間で再生するための抽出位置情報を含むダイジェスト情報を生成するダイジェスト情報生成手段と、
該コンテンツ蓄積手段に保存されているコンテンツそれぞれについて、少なくともネットワーク経由で所望のコンテンツを取得するためのアクセス先情報と、コンテンツのダイジェストコンテンツが提供可能かどうかを示すダイジェストフラグと、ダイジェストコンテンツを指定するダイジェスト識別情報とを含むコンテンツ情報を提供するコンテンツ情報提供手段と、
源コンテンツとダイジェスト情報との対応付けを保存し、ダイジェスト情報が生成あるいは削除される度に源コンテンツのコンテンツ情報に含まれる該ダイジェスト識別情報を更新するコンテンツ管理手段と、
アクセス先情報で指定されたコンテンツを、ダイジェスト情報に従って所定の部分を抽出しながら該蓄積手段から読出して配信する配信処理手段と、
他のネットワーク装置の要求に従って、少なくとも該コンテンツ情報、あるいはコンテンツを送信するネットワーク通信手段と、を備えることを特徴とするコンテンツ送信装置。
（５）
（１）に記載のコンテンツ送信装置において、
源コンテンツとダイジェストコンテンツとの対応付けを保存し、源コンテンツが削除された場合には、対応するダイジェストコンテンツ、及び、コンテンツ情報を削除するコンテンツ管理手段を備えることを特徴とするコンテンツ送信装置。
（６）
（２）に記載のコンテンツ送信装置において、
コンテンツ管理手段は、源コンテンツが削除された場合には、対応するダイジェストコンテンツ、及び、コンテンツ情報を削除することを特徴とするコンテンツ送信装置。
（７）
（３）に記載のコンテンツ送信装置において、
コンテンツ管理手段は、源コンテンツが削除された場合には、対応するダイジェスト情報、及び、コンテンツ情報を削除することを特徴とするコンテンツ送信装置。
（８）
（４）に記載のコンテンツ送信装置において、
コンテンツ管理手段は、源コンテンツが削除された場合には、対応するダイジェスト情報を削除することを特徴とするコンテンツ送信装置。
（９）
（１）から（４）の何れかに記載のコンテンツ送信装置において、
ンテンツ情報はデジタル・リビング・ネットワーク・アライアンス・ガイドラインと同じ形式であることを特徴とするコンテンツ送信装置。
（１０）
（２）または（４）の何れかに記載のコンテンツ送信装置において、
ダイジェストコンテンツの配信はデジタル・リビング・ネットワーク・アライアンス・ガイドラインのサーバーサイドトリックプレイの仕組みに従うことを特徴とするコンテンツ送信装置。
（１１）
コンテンツを保存するコンテンツ蓄積手段を有するコンテンツ送信装置のコンテンツ伝送方法において、
該コンテンツを部分的に抽出し、所定の再生時間になるように編集したダイジェストコンテンツを１つあるいは複数の異なる再生時間で生成し、該コンテンツ蓄積手段に保存するダイジェストコンテンツの生成ステップと、
該コンテンツ蓄積手段に保存されているコンテンツそれぞれについて、少なくともネットワーク経由で所望のコンテンツを取得するためのアクセス先情報と、源コンテンツとダイジェストコンテンツの対応がわかるコンテンツ関連情報とを含むコンテンツ情報を提供するステップと、
アクセス先情報で指定されたコンテンツを該蓄積手段から読出して配信するステップと、
他のネットワーク装置の要求に従って、少なくとも該コンテンツ情報、あるいはコンテンツを送信するステップと、を備えることを特徴とするコンテンツ送信装置のコンテンツ伝送方法。